【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
血管に挿入された撮像用カテーテルのプルバック中に得られる複数の画像フレームを含む血管内画像を処理する方法であって、
前記血管の前記血管内画像において検出された管腔の境界の位置を示す第１の情報および前記血管内画像において検出されたステントストラットの位置を示す第２の情報を取得するステップと、
前記血管内画像から独立した第１のステント長を示す第３の情報を受信するステップと、
前記血管内画像においてステントストラットが検出された多くの画像フレームおよびプルバック速度に基づいて、第２のステント長を計算するステップであって、前記第２のステント長が、前記血管にステントが移植された範囲に対応する、ステップと、
前記範囲中の異なる位置において、前記第１の情報および前記第２の情報に基づいて、前記血管に移植された前記ステントのステント拡張値を決定するステップであって、ステントストラットが検出された画像フレームの各画像フレームが、前記範囲に沿った異なる位置に対応する、ステップと、
表示ユニットに、
管腔の境界の位置および前記検出されたステントストラットの位置を含む前記範囲を含む画像と、
前記血管の画像と併せて、前記ステント拡張値の前記範囲に沿ったレベルを示す第１のインジケータと、
前記第１のステント長と前記第２のステント長との長さの差を示す第２のインジケータと、
を表示させるステップと、
を含む、方法。
【請求項２】
ステントストラットが検出された最初の画像フレームは、前記範囲の近位エッジを表し、ステントストラットが検出された最後の画像フレームは、前記範囲の遠位エッジを表す、請求項１に記載の方法。
【請求項３】
前記ステント拡張値は、前記最初の画像フレームから前記最後の画像フレームまでの画像フレームごとに計算される、請求項２に記載の方法。
【請求項４】
前記長さの差が所定の閾値を超える場合、前記表示ユニットは、前記血管内画像を再取得する要求を表示する、請求項１に記載の方法。
【請求項５】
前記長さの差が所定の閾値を超えない場合、ステントストラットが検出され、前記範囲の近位エッジに対応する最初の画像フレーム、および、ステントストラットが検出され、前記範囲の遠位エッジに対応する最後の画像フレームは、前記ステント拡張値を評価する基準フレームとして選択される、請求項１に記載の方法。
【請求項６】
前記長さの差が所定の閾値を超える場合、前記範囲と前記長さの差の半分との合計の近位エッジに対応する最初の画像フレームおよび前記範囲と前記長さの差の半分との合計の遠位エッジに対応する最後の画像フレームは、前記ステント拡張値を評価する基準フレームとして選択される、請求項１に記載の方法。
【請求項７】
前記ステント拡張値は、ステントストラットが検出された前記画像フレームから選択された画像フレームのステント面積を基準フレームの基準面積と比較することにより評価される、請求項１に記載の方法。
【請求項８】
前記範囲中の異なる位置において、前記第１の情報および前記第２の情報に基づいて、前記血管に移植された前記ステントのステント圧着値を決定するステップをさらに含む、請求項１に記載の方法。
【請求項９】
前記表示ユニットに、前記血管の画像と併せて、前記ステント圧着値の前記範囲に沿ったレベルを示す第３のインジケータを表示させるステップをさらに含む、請求項８に記載の方法。
【請求項１０】
前記ステント圧着値は、ステントストラットが検出された前記画像フレームから選択された画像フレームにおける管腔の境界の位置と前記選択された画像フレームにおけるステントストラットの位置との間の距離を測定することにより決定される、請求項８に記載の方法。
【請求項１１】
前記レベルは、３つの異なるステント拡張値範囲に対応する、請求項１に記載の方法。
【請求項１２】
前記レベルは、十分なステント拡張を示す第１のステント拡張値範囲および不十分なステント拡張を示す第２のステント拡張値範囲に対応する、請求項１に記載の方法。
【請求項１３】
血管内画像を処理する方法であって、
撮像用カテーテルのプルバック中に撮像モダリティで得られる血管内画像を取得するステップと、
前記血管内画像において検出された管腔の境界の位置を示す第１の情報および前記血管内画像において検出されたステントストラットの位置を示す第２の情報を取得するステップと、
ステントが移植された血管に沿ったステント範囲において、ステント拡張を評価する前記血管内画像中の血管に沿った第１の範囲を決定するステップと、
前記第１の情報および前記第２の情報に基づいて、前記ステント拡張を評価する参照値を決定するステップと、
前記第１の情報および前記第２の情報に基づいて、前記第１の範囲に沿って存在する複数の位置を決定するステップであって、各位置が、ステントストラットが検出された前記血管内画像の異なる画像フレームに対応する、ステップと、
前記撮像モダリティのユーザインターフェースを介してユーザにより入力、選択、または確認される、ステント拡張値を評価する基準値を取得するステップと、
前記複数の位置それぞれにおいて、前記位置における前記第２の情報および前記参照値に基づいて、前記移植されたステントの前記ステント拡張値を決定するステップと、
前記ステント拡張値および前記基準値に基づいて、前記第１の範囲における１つまたは複数の第２の範囲を示す１つまたは複数のインジケータを生成するステップと、
表示ユニットに、
前記第１の範囲を含む画像と、
前記検出された管腔の境界の前記位置および前記検出されたステントストラットの前記位置を含む前記血管内画像と、
前記第１の範囲を含む前記画像に重ね合わされた前記１つまたは複数のインジケータと、
を表示させるステップと、
を含む、方法。
【請求項１４】
前記複数の位置は、前記第１の情報および前記第２の情報に基づいて、前記血管内画像に含まれる複数の画像フレームのうちの１つを取り除くことによって、ステント拡張評価用の複数の画像フレームを選択することにより決定される、請求項１３に記載の方法。
【請求項１５】
前記複数の位置は、前記管腔の境界および前記ステントストラットが検出された前記血管内画像の複数の画像フレームを選択することにより決定され、
前記第１の情報および前記第２の情報に基づいて、前記ステント拡張値が有効であるかを決定するステップをさらに含む、請求項１３に記載の方法。
【請求項１６】
前記ステントの検出結果の修正が受信または取得された場合に、前記第１のステント長、前記第２のステント長、および、前記ステント拡張値および／またはステント圧着値を再評価するステップをさらに含む、請求項１に記載の方法。
【請求項１７】
血管に挿入された撮像用カテーテルのプルバック中に得られる複数の画像フレームを含む血管内画像を処理する装置であって、
前記血管の前記血管内画像において検出された管腔の境界の位置を示す第１の情報および前記血管内画像において検出されたステントストラットの位置を示す第２の情報を取得する手段と、
前記血管内画像から独立した第１のステント長を示す第３の情報を受信する手段と、
前記血管内画像においてステントストラットが検出された多くの画像フレームおよびプルバック速度に基づいて、第２のステント長を計算する手段であって、前記第２のステント長が、前記血管にステントが移植された範囲に対応する、手段と、
前記範囲中の異なる位置において、前記第１の情報および前記第２の情報に基づいて、前記血管に移植された前記ステントのステント拡張値を決定する手段であって、ステントストラットが検出された画像フレームの各画像フレームが、前記範囲に沿った異なる位置に対応する、手段と、
表示ユニットに、
管腔の境界の位置および前記検出されたステントストラットの位置を含む前記範囲を含む画像と、
前記血管の画像と併せて、前記ステント拡張値の前記範囲に沿ったレベルを示す第１のインジケータと、
前記第１のステント長と前記第２のステント長との長さの差を示す第２のインジケータと、
を表示させる手段と、
を含む、装置。
【請求項１８】
血管内画像を処理する装置であって、
撮像用カテーテルのプルバック中に撮像モダリティで得られる血管内画像を取得する手段と、
前記血管内画像において検出された管腔の境界の位置を示す第１の情報および前記血管内画像において検出されたステントストラットの位置を示す第２の情報を取得する手段と、
ステントが移植された血管に沿ったステント範囲において、ステント拡張を評価する前記血管内画像中の血管に沿った第１の範囲を決定する手段と、
前記第１の情報および前記第２の情報に基づいて、前記ステント拡張を評価する参照値を決定する手段と、
前記第１の情報および前記第２の情報に基づいて、前記第１の範囲に沿って存在する複数の位置を決定する手段であって、各位置が、ステントストラットが検出された前記血管内画像の異なる画像フレームに対応する、手段と、
前記撮像モダリティのユーザインターフェースを介してユーザにより入力、選択、または確認される、ステント拡張値を評価する基準値を取得する手段と、
前記複数の位置それぞれにおいて、前記位置における前記第２の情報および前記参照値に基づいて、前記移植されたステントの前記ステント拡張値を決定する手段と、
前記ステント拡張値および前記基準値に基づいて、前記第１の範囲における１つまたは複数の第２の範囲を示す１つまたは複数のインジケータを生成する手段と、
表示ユニットに、
前記第１の範囲を含む画像と、
前記検出された管腔の境界の前記位置および前記検出されたステントストラットの前記位置を含む前記血管内画像と、
前記第１の範囲を含む前記画像に重ね合わされた前記１つまたは複数のインジケータと、
を表示させる手段と、
を含む、装置。
【請求項１９】
血管に挿入された撮像用カテーテルのプルバック中に得られる複数の画像フレームを含む血管内画像を処理する方法をコンピュータに実行させるためのコンピュータ可読プログラムを格納する非一時的なコンピュータ可読記憶媒体であって、
前記方法は、
前記血管の前記血管内画像において検出された管腔の境界の位置を示す第１の情報および前記血管内画像において検出されたステントストラットの位置を示す第２の情報を取得するステップと、
前記血管内画像から独立した第１のステント長を示す第３の情報を取得するステップと、
前記血管内画像においてステントストラットが検出された多くの画像フレームに基づいて、第２のステント長を計算するステップであって、前記第２のステント長が、前記血管にステントが移植された範囲に対応する、ステップと、
前記範囲中の異なる位置において、前記第１の情報および前記第２の情報に基づいて、前記血管に移植された前記ステントのステント拡張値を決定するステップであって、ステントストラットが検出された画像フレームの各画像フレームが、前記範囲に沿った異なる位置に対応する、ステップと、
表示ユニットに、
管腔の境界の位置および前記検出されたステントストラットの位置を含む画像と、
前記血管の画像と併せて、前記ステント拡張値の前記範囲に沿ったレベルを示す第１のインジケータと、
前記第１のステント長と前記第２のステント長との長さの差を示す第２のインジケータと、
を表示させるステップと、
を含む、非一時的なコンピュータ可読記憶媒体。
【請求項２０】
血管内画像を処理する方法をコンピュータに実行させるためのコンピュータ可読プログラムを格納する非一時的なコンピュータ可読記憶媒体であって、
前記方法は、
撮像用カテーテルのプルバック中に撮像モダリティで得られる血管内画像を取得するステップと、
前記血管内画像において検出された管腔の境界の位置を示す第１の情報および前記血管内画像において検出されたステントストラットの位置を示す第２の情報を取得するステップと、
ステントが移植された血管に沿ったステント範囲において、ステント拡張を評価する前記血管内画像中の血管に沿った第１の範囲を決定するステップと、
前記第１の情報および前記第２の情報に基づいて、前記ステント拡張を評価する参照値を決定するステップと、
前記第１の情報および前記第２の情報に基づいて、前記第１の範囲に沿って存在する複数の位置を決定するステップであって、各位置が、ステントストラットが検出された前記血管内画像の異なる画像フレームに対応する、ステップと、
前記撮像モダリティのユーザインターフェースを介してユーザにより入力、選択、または確認される、ステント拡張値を評価する基準値を取得するステップと、
前記複数の位置それぞれにおいて、前記位置における前記第２の情報および前記参照値に基づいて、前記移植されたステントの前記ステント拡張値を決定するステップと、
前記ステント拡張値および前記基準値に基づいて、前記第１の範囲における１つまたは複数の第２の範囲を示す１つまたは複数のインジケータを生成するステップと、
表示ユニットに、
前記第１の範囲を含む画像と、
前記検出された管腔の境界の前記位置および前記検出されたステントストラットの前記位置を含む前記血管内画像と、
前記第１の範囲を含む前記画像に重ね合わされた前記１つまたは複数のインジケータと、
を表示させるステップと、
を含む、非一時的なコンピュータ可読記憶媒体。